(57)【要約】【課題】  振動検出手段を有効に活用する。【解決手段】  機器本体に生じる振動を検出する振動検出手段と、機器本体に組み込まれる各種機構に対して給電を行うバッテリーと、振動検出手段からの出力をバッテリーの充電に用いるか、他の用途に用いるかを選択する選択手段と、選択手段により振動検出手段からの出力をバッテリーの充電として用いることが選択された場合に、振動検出手段からの出力を用いてバッテリーを充電する充電装置と、を備えたことを特徴とする。【選択図】    図３
2010199780.tif 000002
【特許請求の範囲】
【請求項１】
機器本体に生じる振動を検出する振動検出手段と、
前記機器本体に組み込まれる各種機構に対して給電を行うバッテリーと、
前記振動検出手段からの出力を前記バッテリーの充電に用いるか、他の用途に用いるかを選択する選択手段と、
前記選択手段により前記振動検出手段からの出力を前記バッテリーの充電として用いることが選択された場合に、前記振動検出手段からの出力を用いて前記バッテリーを充電する充電装置と、
を備えたことを特徴とする電子機器。
【請求項２】
請求項１に記載の電子機器において、
前記充電装置は、
前記振動手段から出力される電圧信号に基づいて電荷を蓄積する複数の蓄積手段と、
前記複数の蓄積手段を、前記電荷の蓄積に用いる蓄積手段と蓄積された電荷に基づいた電圧信号を出力する蓄積手段との間で順次切り替える切替手段と、
前記蓄積手段から出力される電圧信号を昇圧して前記バッテリーに出力する昇圧手段と、
を備えていることを特徴とする電子機器。
【請求項３】
請求項２に記載の電子機器において、
前記充電装置は、前記複数の蓄積手段のうち、前記切替手段により前記電荷の蓄積に用いる蓄積手段として切り替えられた蓄積手段に蓄積された電荷量が最大容量を超えたときに、前記振動手段から出力される電圧信号に基づいて蓄積する補助蓄積手段を、さらに備えていることを特徴とする電子機器。
【請求項４】
請求項１から請求項３のいずれか１項に記載の電子機器において、
前記充電装置は、前記振動検出手段及び該充電装置に給電を行う補助バッテリーを備えているとともに、
前記選択手段は、前記バッテリーによる前記機器本体への給電が停止されることを契機にして、前記振動検出手段からの出力を前記バッテリーの充電に用いることを選択することを特徴とする電子機器。
【請求項５】
請求項１から請求項４のいずれか１項に記載の電子機器と、
被写体光を光電変換することで画像信号を取得する撮像素子と、
前記被写体光を前記撮像素子に導く撮像光学系と、
前記振動検出手段からの出力に基づいて、前記撮像素子により得られる画像信号に基づく画像における像ブレの発生を防止するブレ防止手段と、
前記選択手段により前記振動検出手段からの出力を前記他の用途に用いることが選択された場合に前記ブレ防止手段を作動制御する制御手段と、
を備えたことを特徴とする撮像装置。
【発明の詳細な説明】
【技術分野】
【０００１】
本発明は、電子機器及び撮像装置に関する。
【背景技術】
【０００２】
従来から、撮像光学系を介して取り込まれる被写体光をＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子により光電変換して得られる電気信号から画像データを生成する撮像装置が提供されている。このような撮像装置においては、撮影時の手ブレなどが生じることで、取得される画像内の被写体像がぶれてしまう、つまり像ブレの発生を防止する手ブレ補正機能を備えたものが提供されている。この手ブレ補正機能としては、角速度センサや加速度センサなどの振動検出センサにより撮像装置のブレ量（振動量）を検出し、撮像光学系を構成する一部のレンズ又は撮像素子を、撮影光軸と直交する方向に移動させて補正を行う光学式ブレ補正や、画像処理により補正を行う電子式ブレ補正などがある（特許文献１参照）。
【発明の概要】
【発明が解決しようとする課題】
【０００３】
しかしながら、このような撮像装置においては、上述した手ブレ補正機能など種々の機能を備えたものや、高画質化された撮像素子を搭載したものが多く、撮像装置に組み込まれる各種機構に給電を行うバッテリーを早く消費させてしまう。また、上述した振動検出センサは、撮影時に生じる手ブレを検出する以外には利用されていないことから、振動検出センサを有効活用できていない。
【０００４】
本発明は、振動検出手段を有効に活用することができるようにした電子機器及び撮像装置を提供することを目的とする。
【課題を解決するための手段】
【０００５】
上述した課題を解決するために、第１の発明の電子機器は、機器本体に生じる振動を検出する振動検出手段と、前記機器本体に組み込まれる各種機構に対して給電を行うバッテリーと、前記振動検出手段からの出力を前記バッテリーの充電に用いるか、他の用途に用いるかを選択する選択手段と、前記選択手段により前記振動検出手段からの出力を前記バッテリーの充電として用いることが選択された場合に、前記振動検出手段からの出力を用いて前記バッテリーを充電する充電装置と、を備えたことを特徴とする。
【０００６】
第２の発明は、第１の発明において、前記充電装置は、前記振動手段から出力される電圧信号に基づいて電荷を蓄積する複数の蓄積手段と、前記複数の蓄積手段を、前記電荷の蓄積に用いる蓄積手段と蓄積された電荷に基づいた電圧信号を出力する蓄積手段との間で順次切り替える切替手段と、前記蓄積手段から出力される電圧信号を昇圧して前記バッテリーに出力する昇圧手段と、を備えていることを特徴とする。
【０００７】
第３の発明は、第２の発明において、前記充電装置は、前記複数の蓄積手段のうち、前記切替手段により前記電荷の蓄積に用いる蓄積手段として切り替えられた蓄積手段に蓄積された電荷量が最大容量を超えたときに、前記振動手段から出力される電圧信号に基づいて蓄積する補助蓄積手段を、さらに備えていることを特徴とする。
【０００８】
第４の発明は、第１から第３の発明のいずれかにおいて、前記充電装置は、前記振動検出手段及び該充電装置に給電を行う補助バッテリーを備えているとともに、前記選択手段は、前記バッテリーによる前記機器本体への給電が停止されることを契機にして、前記振動検出手段からの出力を前記バッテリーの充電に用いることを選択することを特徴とする。
【０００９】
第５の発明の撮像装置は、第１から第４の発明のいずれかに記載の電子機器と、被写体光を光電変換することで画像信号を取得する撮像素子と、前記被写体光を前記撮像素子に導く撮像光学系と、前記振動検出手段からの出力に基づいて、前記撮像素子により得られる画像信号に基づく画像における像ブレの発生を防止するブレ防止手段と、前記選択手段により前記振動検出手段からの出力を前記他の用途に用いることが選択された場合に前記ブレ防止手段を作動制御する制御手段と、備えたことを特徴とする。
【発明の効果】
【００１０】
本発明によれば、振動検出手段を有効に活用することができる。
【図面の簡単な説明】
【００１１】
【図１】本実施形態のデジタルカメラの構成を示す図である。
【図２】充電装置の概略を示す図である。
【図３】充電装置の制御コントローラ及びバッファ回路の構成を詳細に示す図である。
【図４】充電装置におけるバッテリーの充電の流れを示すタイミングチャートである。
【図５】バッファ回路に３つのバッファユニットを設けた場合の、充電装置の制御コントローラ及びバッファ回路の構成を詳細に示す図である。
【発明を実施するための形態】
【００１２】
図１は、本発明を用いたデジタルカメラの構成を示す図である。デジタルカメラ１０は、周知のように、撮像光学系１５によって取り込まれた被写体光を撮像素子１６によって光電変換し、光電変換後の電気信号（画像信号）から画像データを取得する。
【００１３】
撮像光学系１５は、ズームレンズやフォーカスレンズなどを含むレンズ群２１や、補正レンズ２２などから構成される。レンズ群２１に含まれるズームレンズやフォーカスレンズは、レンズ駆動機構２３により光軸Ｌに沿って移動される。一方、補正レンズ２２は、後述する振動センサ６０により検出される振動の大きさや方向に基づいて、光軸Ｌに直交する方向に移動される。なお、符号２４は、ブレ補正機構であり、検出される信号の大きさや方向に基づいて、補正レンズ２２を光軸Ｌに直交する方向に移動させる。これにより、像ブレが補正される。なお、像ブレの補正としては、補正レンズ２２を光軸Ｌに直交する方向に移動させる他に、撮像素子１６を光軸Ｌに直交する方向に移動させるようにしてもよい。また、補正レンズ２２や撮像素子１６を光軸Ｌに直行する方向に移動させる他に、得られる画像データに対して、像ブレに対する補正処理を行うことも可能である。
【００１４】
撮像素子１６は、例えばＣＣＤやＣＭＯＳなどから構成される。撮像素子１６は、撮像光学系１５によって取り込まれる被写体光を受光し、受光した光量を信号電荷に変換（光電変換）して、変換した信号電荷を蓄積する。なお、符号２５はドライバであり、撮像素子１６における信号電荷の蓄積や、信号電荷を蓄積する時間（電荷蓄積時間）を制御する他に、信号電荷の蓄積を行う画素を制御する。例えば撮影時には、撮像素子１６の全画素を用いて上述した光電変換及び信号電荷の蓄積を行うようにしているが、スルー画像をＬＣＤ４４に表示するときには、撮像素子１６の全画素を用いずに一部の画素を用いて、上述した光電変換や信号電荷の蓄積を行っている。なお、撮像素子により蓄積される信号電荷は、画像信号としてＡＦＥ回路３０に出力される。
【００１５】
ＡＦＥ回路３０は、図示しないＡＧＣ回路やＣＤＳ回路を含んで構成される。ＡＦＥ回路３０は、入力された画像信号に対してゲインコントロール、雑音除去などのアナログ処理を施す。このアナログ処理が施された画像信号は、ＤＦＥ回路３１に出力される。
【００１６】
ＤＦＥ（Ｄｉｇｉｔａｌ  Ｆｒｏｎｔ  Ｅｎｄ）回路３１は、ＡＦＥ回路３０によってアナログ処理が施された画像信号をデジタル信号に変換する。符号３２は、タイミングジェネレータ（ＴＧ）であり、このＴＧ３２により、ドライバ２５、ＡＦＥ回路３０及びＤＦＥ回路３１の駆動タイミングが制御される。なお、ＤＦＥ回路３１によってデジタル化された画像信号は、バッファメモリ３５に１コマ毎にまとめられた画像データとして記録される。
【００１７】
画像処理回路４１は、バッファメモリ３５に記録された画像データに対して、ベイヤー補間処理、ホワイトバランス処理（以下、ＷＢ処理）、輪郭補償処理、ガンマ処理などの画像処理を施す。また、画像処理回路４１は、画像処理を施した画像データに対して、例えばＪＰＥＧ方式などの記憶方式で圧縮するためのフォーマット処理（画像後処理）を施す。この処理の後、画像処理回路４１は、サムネイル画像データや、予め設定された圧縮率を用いて圧縮された例えばＪＰＥＧ方式の圧縮画像データを生成する。これら画像データは、一旦内蔵メモリ４２に記憶される他に、デジタルカメラ１０の機種情報や、撮影時の撮影情報などを付帯情報とした画像ファイルとして、メモリーカード、磁気ディスク及び光学ディスクなどの記憶媒体４３に書き込まれる。上述したサムネイル画像データは、例えば撮影時に撮影された画像をＬＣＤ４４に表示する際に用いられる。なお、符号４５は、記憶媒体４３が装着されるメディアスロットであり、符号４６は、ＬＣＤ４４の表示制御を行う表示制御回路である。
【００１８】
ＣＰＵ５０は、図示を省略した制御プログラムを実行することで、デジタルカメラ１０の各部を統括的に制御する。このＣＰＵ５０には、例えば操作部５１やレリーズボタン５２からの操作信号が入力される。操作部５１は、メニューボタン、十字キーなどの他に、電源ボタン５５を有している。電源ボタン５５は、デジタルカメラ１０の主電源のオンオフを切り替える際に操作される。この電源ボタン５５の操作による主電源のオンオフに応じて、ＣＰＵ５０は、バッテリー６６によるデジタルカメラ１０の各部への給電や該給電の停止を制御する。
【００１９】
このＣＰＵ５０には、上述した操作部５１やレリーズボタン５２からの操作信号の他に、振動センサ６０からの出力信号（以下、電圧信号と称する）が入力される。振動センサ６０は、外部からの影響に起因して発生するデジタルカメラ１０の振動を検出するものであり、例えば加速度センサやジャイロセンサ等が用いられる。この振動センサ６０は、主電源がオンとなる場合には、バッテリー６６からの給電を受けて作動し、主電源がオフとなる場合には、充電装置６５からの給電を受けて作動する。
【００２０】
振動センサ６０とＣＰＵ５０との間には、セレクタ６１が設けられる。セレクタ６１は、振動センサ６０からの出力端子６１ａ、ＣＰＵ５０への入力端子６１ｂ、後述する充電装置６５への入力端子６１ｃ、及び切片６１ｄから構成される。切片６１ｄは、その一端が振動センサ６０の出力端子６１ａに接続されている。
【００２１】
このセレクタ６１はＣＰＵ５０によって制御される。例えば電源ボタン５５の操作により主電源がオンとなるときには、ＣＰＵ５０は、述した切片６１ｄを図１中実線の位置に移動させて、切片６１ｄの他端をＣＰＵ５０への入力端子６１ｂに接続させる。これにより、振動センサ６０からの電圧信号がＣＰＵ５０に入力される。この場合、ＣＰＵ５０は振動センサ６０からの電圧信号から振動の大きさや振動の方向を判定した後、発生する振動を打ち消すように、ブレ補正機構２４を介して補正レンズ２２を光軸Ｌに直交する方向に移動させる。
【００２２】
一方、電源ボタン５５の操作により主電源がオフとなるときには、ＣＰＵ５０は、切片６１ｄの他端を図１中点線で示す位置に移動させて、切片６１ｄの他端を充電装置６５への入力端子６１ｃに接続させる。これにより、振動センサ６０からの電圧信号が後述する充電装置６５に入力される。この場合、ＣＰＵ５０は、後述する充電装置６５の制御コントローラ７１に駆動開始信号を出力する。なお、電源ボタン５５の操作により主電源がオフの状態からオンの状態に切り替わるときには、ＣＰＵ５０は、セレクタ６１を切り替えるとともに、後述する充電装置６５の制御コントローラ７１に駆動停止信号を出力する。
【００２３】
充電装置６５は、バッテリー６６を充電するために設けられる。なお、バッテリー６６は、電源ボタン５５の操作により主電源がオンとなるときに、デジタルカメラ１０の各部に給電を行うものである。図２及び図３に示すように、充電装置６５は、制御コントローラ７１、バッファ回路７２、昇圧回路７３及びサブバッテリー７４を備えている。なお、サブバッテリー７４は、デジタルカメラ１０の主電源がオフとなるときに、充電装置６５及び振動センサ６０に対して給電を行う。なお、図２においては、サブバッテリー７４における給電については点線で示してある。
【００２４】
制御コントローラ７１は、ＣＰＵ５０からの駆動開始信号を受けて、充電装置６５の各部や振動センサ６０を制御する。制御コントローラ７１は、動作制御部８１、バッファＦＵＬＬ制御部８２、バッファ残量不足制御部８３、充電期間中信号生成部８４、充電完了判定部８５の機能を有している。
【００２５】
動作制御部８１は、ＣＰＵ５０からの駆動開始信号を受けて、振動センサ６０、バッファ回路７２及び昇圧回路７３を動作させる。また、ＣＰＵ５０からの駆動停止信号を受けると、動作制御部８１は、振動センサ６０、バッファ回路７２及び昇圧回路７３の動作を停止する。
【００２６】
バッファＦＵＬＬ制御部８２は、バッファ回路７２から出力されるバッファＦＵＬＬ信号と、残量不足信号とがそれぞれ入力されたことを受けて、バッファ切替信号をバッファ回路７２に出力する。バッファＦＵＬＬ信号は、バッファ回路７２に設けられた第１バッファユニット９６又は第２バッファユニット９７のいずれかに蓄積された電荷量が最大容量まで充填されたことを示す信号であり、バッファ切替信号は、電荷を蓄積するバッファユニットを第１バッファユニット９６と第２バッファユニット９７との間で切り替えることを示す信号である。
【００２７】
例えば第１バッファユニット９６によりバッテリー６６の充電を行っている場合には、上述したバッファ切替信号は「１」を示す信号となる。また、第２バッファユニット９７によりバッテリー６６の充電を行っている場合には、上述したバッファ切替信号は「０」を示す信号となる。バッファＦＵＬＬ制御部８２は、バッファ切替信号の出力の後、バッファ残量不足制御部８３に昇圧信号を出力する。
【００２８】
バッファ残量不足制御部８３は、バッファ回路７２から出力される残量不足信号を受けて、該残量不足信号をバッファＦＵＬＬ制御部８２に出力するとともに、昇圧回路７３に出力される昇圧信号を停止する。また、バッファ残量不足制御部８３は、バッファＦＵＬＬ制御部８２からの昇圧信号を昇圧回路７３に出力する。なお、残量不足信号は、バッファユニットに蓄積された電荷量ではバッテリー６６の充電を行うことができないことを示す信号である。
【００２９】
充電期間中信号生成部８４は、昇圧回路７３によって昇圧された電圧値と、バッテリー６６の電圧値とを取得し、バッファ回路７２のバッファユニットに蓄積される電荷を用いたバッテリー６６の充電が可能であるか否かを判定する。バッテリー６６に対する充電が可能である、つまり、昇圧回路７３によって昇圧された電圧値がバッテリー６６の電圧値を超過していると判定された場合には、充電期間中信号生成部８４は、バッファ回路７２にバッテリー６６の充電を行っている旨を示す充電期間中信号を出力する。一方、上述した判定でバッテリー６６に対する充電が不能である、つまり、昇圧回路７３によって昇圧された電圧値が、バッテリー６６の電圧値以下であると判定された場合には、充電期間中信号生成部８４は、上述した充電期間中信号の出力を停止する。この充電期間中信号の出力が停止されたことを受けて、バッファ回路７２は、バッファ残量不足制御部８３に残量不足信号を出力する。
【００３０】
充電完了判定部８５は、バッテリー６６の電圧値から、バッテリー６６に対する充電が完了したか否かを判定する。例えばバッテリー６６に対する充電が完了したと判定された場合には、動作制御部８１に充電完了信号を出力する。この充電完了信号を受けて、動作制御部８１は、充電装置６５の各部を停止させる。一方、バッテリー６６に対する充電が完了していないと判定された場合には、充電未完了信号を出力する。この場合、動作制御部８１は、そのまま、充電装置６５の各部を駆動させる。
【００３１】
バッファ回路７２は、振動センサ６０から出力される電圧信号を用いて電荷を蓄積する回路である。このバッファ回路７２は、スイッチ９１，９２、セレクタ９３，９４，９５、第１バッファユニット９６、第２バッファユニット９７から構成される。
【００３２】
スイッチ９１は、振動センサ６０からの電圧信号を第１バッファユニット９６に入力させるか否かを切り替える。このスイッチ９１は、制御コントローラ７１から出力されるバッファ切替信号が「０」となる場合にオンとなり、バッファ切替信号が「１」となる場合にオフとなる。なお、このスイッチ９１がオンとなる場合に、振動センサ６０からの電圧信号が第１バッファユニット９６に入力される。
【００３３】
スイッチ９２は、振動センサ６０からの電圧信号を第２バッファユニット９７に入力させるか否かを切り替える。このスイッチ９１は、制御コントローラ７１から出力されるバッファ切替信号が「０」となる場合にオフとなり、バッファ切替信号が「１」となる場合にオンとなる。なお、このスイッチ９２がオンとなる場合に、振動センサ６０からの電圧信号が第２バッファユニット９７に入力される。
【００３４】
セレクタ９３は、バッファ切替信号に基づいて制御コントローラ７１（詳細には、制御コントローラ７１のバッファＦＵＬＬ制御部８２）と接続させるバッファユニットを切り替える。例えばバッファ切替信号が「０」となる場合には、第１バッファユニット９６と制御コントローラ７１とを接続する。一方、バッファ切替信号が「１」となる場合には、第２バッファユニット９７と制御コントローラ７１とを接続する。
【００３５】
セレクタ９４は、セレクタ９３と同様に、バッファ切替信号に基づいて制御コントローラ７１（詳細には、制御コントローラ７１のバッファ残量不足制御部８３）と接続させるバッファユニットを切り替える。例えばバッファ切替信号が「０」となる場合には、第２バッファユニット９７と制御コントローラ７１とを接続する。また、バッファ切替信号が「１」となる場合には、第１バッファユニット９６と制御コントローラ７１とを接続する。
【００３６】
セレクタ９５は、バッテリー６６を充電する際に用いる、つまり、昇圧回路７３と接続させるバッファユニットを切り替える。例えばバッファ切替信号が「０」となる場合には、第２バッファユニット９７と昇圧回路７３とが接続され、バッファ切替信号が「１」となる場合には、第１バッファユニット９６と昇圧回路７３とが接続される。つまり、バッファ切替信号が「０」となる場合には、第２バッファユニット９７を用いたバッテリー６６の充電が行われ、バッファ切替信号が「１」となる場合には、第１バッファユニット９６を用いたバッテリー６６の充電が行われる。
【００３７】
第１バッファユニット９６や第２バッファユニット９７は、図示は省略するが、振動センサ６０から出力される電圧信号を受けて電荷を蓄積するコンデンサや該コンデンサを制御するコントローラとから構成される。コントローラは、上述したコンデンサに蓄積された電荷量が最大容量となるときに、制御コントローラ７１に向けてバッファＦＵＬＬ信号を出力する。また、蓄積された電荷を用いたバッテリー６６の充電中に、制御コントローラ７１から出力される充電期間中信号が停止されたときに、コントローラは残量不足信号を生成して制御コントローラ７１に出力する。なお、第１バッファユニット９６にて蓄積される電荷量と、第２バッファユニット９７にて蓄積される電荷量とは、同一の電荷量であっても、異なる電荷量であってもよい。また、バッファ回路７２に設けられるバッファユニットは、第１バッファユニット９６及び第２バッファユニットの２つに限定される必要はなく、３以上のバッファユニットから構成することも可能である。
【００３８】
昇圧回路７３は、バッファ回路７２から出力される電圧信号を昇圧し、昇圧後の電圧信号をバッテリー６６に向けて出力する。なお、入力される電圧信号を昇圧する際に用いるゲイン（信号利得値）は一定であり、このゲインは、各バッファユニットに蓄積された電荷を用いて出力される電圧信号を昇圧したときの電圧値が、バッテリー６６の電圧値よりも大きくなるように設定されている。
【００３９】
次に、充電装置６５におけるバッテリー６６の充電時の流れについて、図４のタイミングチャートに基づいて説明する。なお、充電装置６５におけるバッテリー６６の充電は、デジタルカメラ１０の主電源がオフとなることを契機にして実行される。充電装置６５が駆動された直後においては、充電装置６５は初期状態となる。初期状態の充電装置６５においては、バッファＦＵＬＬ制御部８２から、バッファ回路７２に「０」を示すバッファ切替信号が出力される。このバッファ切替信号により、スイッチ９１はオンとなり、スイッチ９２はオフとなる。また、セレクタ９３により第１バッファユニット９６とバッファＦＵＬＬ制御部８２とが接続される。また、セレクタ９４により、第２バッファユニット９７とバッファ残量不足制御部８３とが接続される。さらに、セレクタ９５により、第２バッファユニット９７と昇圧回路７３とが接続される。つまり、初期状態では、第1バッファユニット９６により電荷の蓄積が行われる。
【００４０】
この初期状態においては、セレクタ９５により第２バッファユニット９７と昇圧回路７３とが接続されることから、第２バッファユニット９７によるバッテリー６６の充電が可能となるが、第２バッファユニット９７には電荷が蓄積されていない。つまり、充電期間中信号生成部８４から第２バッファユニット９７への充電期間中信号の出力が停止されることから、第２バッファユニット９７からバッファ残量不足制御部８３へと残量不足信号が出力される。これにより、バッファ残量不足制御部８３は、昇圧回路７３に昇圧信号の出力を停止させることから、昇圧回路７３による電圧信号の昇圧は実行されない。なお、バッファ不足制御部８３は、入力された残量不足信号をバッファＦＵＬＬ制御部８２に出力する。
【００４１】
この初期状態となるデジタルカメラ１０に対して振動（図４の符号１００）を与えると、デジタルカメラ１０が振動し、振動センサ６０によって検出される。振動センサ６０により振動が検出されると、振動１００に応じた電圧信号が振動センサ６０から出力される。このとき、スイッチ９１がオンとなることから、振動センサ６０から出力された電圧信号は第１バッファユニット９６に入力される。第１バッファユニット９６は、電圧信号に応じた電荷を蓄積する。また、再度デジタルカメラ１０が振動されると、振動センサ６０によって振動（図４中符号１０１）が検出されるので、振動に応じた電圧信号に基づいた電荷が、第１バッファユニット９６において蓄積されていく。
【００４２】
この第１バッファユニット９６において蓄積された電荷量が最大容量に到達すると、第１バッファユニット９６により、バッファＦＵＬＬ信号が生成される。このとき、セレクタ９３により、第１バッファユニット９６と制御コントローラ７１のバッファＦＵＬＬ制御部８２とが接続されていることから、生成されたバッファＦＵＬＬ信号が第１バッファユニット９６からバッファＦＵＬＬ制御部８２に出力される。
【００４３】
上述したように、バッファＦＵＬＬ制御部８２には既に残量不足信号が入力されていることから、このバッファＦＵＬＬ信号を受け付けると、バッファＦＵＬＬ制御部８２は「１」を示すバッファ切替信号をバッファ回路７２に出力する。このバッファ切替信号を受けて、スイッチ９１がオフとなり、スイッチ９２がオンとなる。また、セレクタ９３により第２バッファユニット９７とバッファＦＵＬＬ制御部８２とが接続される。また、セレクタ９４により、第１バッファユニット９６とバッファ残量不足制御部８３とが接続される。さらに、セレクタ９５により、第１バッファユニット９６と昇圧回路７３とが接続される。これにより、電荷の蓄積を行うバッファユニットが、第１バッファユニット９６から第２バッファユニット９７に切り替わる。また、第１バッファユニット９６と昇圧回路７３とが接続されることで、蓄積された電荷に応じた電圧信号が第１バッファユニット９６から昇圧回路７３に出力される。
【００４４】
バッファ切替信号を出力すると同時に、バッファＦＵＬＬ制御部８２は、バッファ残量不足制御部８３に昇圧信号を出力する。バッファ残量不足制御部８３は、バッファＦＵＬＬ制御部８２からの昇圧信号を昇圧回路７３に出力する。これを受けて、昇圧回路７３は、第１バッファユニット９６から出力される電圧信号を昇圧し、昇圧した電圧信号をバッテリー６６に出力する。これにより、バッテリー６６の充電が開始される。
【００４５】
充電期間中生成部８４においては、昇圧回路７３によって昇圧された電圧信号から得られる電圧値と、バッテリー６６の電圧値とを比較し、バッテリー６６の充電が行える状態であるか否かを判定している。例えば、昇圧回路７３によって昇圧された電圧信号から得られる電圧値がバッテリー６６の電圧値を超過する場合には、バッテリー６６の充電が行える状態であると判定し、バッファ回路７２に充電期間中信号を出力する。これを受けて、バッテリー６６の受電が開始される。そして、バッテリー６６の充電が開始された後、昇圧回路７３によって昇圧された電圧信号から得られる電圧値がバッテリー６６の電圧値以下となると（例えば図中記号Ｔで示す時点）、バッテリー６６の充電が行えない状態であると判定し、充電期間中信号の出力を停止する。
【００４６】
充電期間中信号の出力が停止されたことを受けて、第１バッファユニット９６は残量不足信号を生成し、バッファ残量不足制御部８３に該残量不足信号を出力する。バッファ残量不足制御部８３は、入力された残量不足信号をバッファＦＵＬＬ制御部８２に出力するとともに、昇圧信号の出力を停止する。この昇圧信号が停止されることを受けて、昇圧回路７３は、第１バッファユニット９６から出力される電圧信号に対する昇圧動作を停止する。これにより、昇圧回路７３からバッテリー６６へ昇圧された電圧信号の出力が停止される。このようにして、充電期間中信号が出力されている期間においては、バッテリー６６の充電が行われ、充電期間中信号の出力が停止されるとバッテリー６６の充電が停止される。
【００４７】
なお、第１バッファユニット９６を利用してバッテリー６６を充電している過程においても、デジタルカメラ１０が振動する（図４の符号１０２、及び符号１０３に示す振動）場合がある。このような場合には、振動センサ６０からの電圧信号が第２バッファユニット９７に入力され、第２バッファユニット９７において電荷が蓄積される。そして、第２バッファユニット９７において蓄積される電荷量が最大容量に到達した場合に、第２バッファユニット９７はバッファＦＵＬＬ信号を生成する。そして、第２バッファユニット９７は、生成したバッファＦＵＬＬ信号をバッファＦＵＬＬ制御部８２に出力する。
【００４８】
このとき、バッファＦＵＬＬ制御部８２に残量不足信号が入力されていれば（図４の場合）、バッファＦＵＬＬ制御部８２は、バッファ回路７２に「０」を示すバッファ切替信号を出力する。一方、バッファＦＵＬＬ制御部８２に残量不足信号が入力されていない場合には、残量不足信号が入力されるまで待機状態となり、残量不足信号が入力されたときに、「０」を示すバッファ切替信号をバッファ回路７２に出力する。これにより、バッファ回路７２のスイッチ９１がオンとなり、スイッチ９２がオフとなる。また、セレクタ９３が切り替わり、第１バッファユニット９６とバッファＦＵＬＬ制御部８２とが接続される。また、セレクタ９４が切り替わり、第２バッファユニット９７とバッファ残量不足制御部８３とが接続される。さらにセレクタ９５が切り替わり、第２バッファユニット９７と昇圧回路７３とが接続される。
【００４９】
バッファＦＵＬＬ制御部８２は、バッファ回路７２にバッファ切替信号を出力すると同時に、バッファ残量不足制御部８３に昇圧信号を出力している。これを受けて、バッファ残量不足制御部８３は、入力された昇圧信号を昇圧回路７３に出力する。昇圧回路７３は、第２バッファユニット９７から出力される電圧信号を昇圧してバッテリー６６に出力する。これにより、第２バッファユニット９７を用いたバッテリー６６の充電が実行される。なお、第２バッファユニット９７を用いたバッテリー６６の充電の流れは、第１バッファユニット９６と同一であることから、ここではその詳細については省略する。
【００５０】
このようにして、バッファ回路７２に設けられたバッファユニットの一方により振動センサ６０からの出力に基づいて電荷の蓄積を行い、他方によりバッテリー６６の充電が実行され、電荷の蓄積が実行されるバッファユニットにおいて蓄積された電荷量が最大容量に到達し、かつバッテリー６６の充電に用いられるバッファユニットに蓄積される電荷量の残量が不足した場合に、上述した動作がバッファユニットの間で切り替わっていく。
【００５１】
なお、充電完了判定部８５においては、バッテリー６６の電圧値に基づいてバッテリー６６に対する充電が完了したか否かを判定している。この充電完了判定部８５によりバッテリー６６の充電が完了したと判定された場合に、充電完了判定部８５は動作制御部に８１動作停止信号を出力する。動作制御部８１は動作停止信号を受けて、振動センサ６０、バッファ回路７２、昇圧回路７３の動作を停止させる。この動作制御部８１による動作の停止により、バッファ回路７２は初期状態に戻る。これにより、充電装置６５におけるバッテリー６６の充電が完了する。なお、バッテリーの充電中に、充電完了判定部８５よりバッテリー６６の充電が完了したと判定された場合には、バッテリーの充電動作を停止した後、振動センサ６０、バッファ回路７２、昇圧回路７３の動作を停止させる。
【００５２】
これにより、デジタルカメラ１０の主電源がオフとなるときであっても、振動センサ６０を用いてバッテリー６６を充電することができるので、振動センサ６０を有効活用することができる。
【００５３】
本実施形態では、振動センサ６０を用いて撮影時の像ブレを補正する、所謂像ブレ補正機能を有するデジタルカメラを挙げているが、例えば、振動センサ６０による振動を検知して主電源のオンオフを制御するデジタルカメラなど、振動センサ６０を用いた機能を有するデジタルカメラであれば、本発明を実施することが可能である。
【００５４】
本実施形態では、デジタルカメラの各部に給電を行うバッテリーを充電する実施形態としているが、これに限定される必要はなく、例えばデジタルカメラの各部に給電を行うバッテリーを複数装着し、そのいずれかをデジタルカメラの各部に給電を行うバッテリーとして設定できる場合には、デジタルカメラに給電を行うバッテリーだけでなく、他のバッテリーに対しても充電を行えるようにしても良い。
【００５５】
本実施形態では、一方のバッファユニットにおける電荷の蓄積が終了する（つまり、バッファＦＵＬＬ信号がバッファＦＵＬＬ制御部８２に出力される）、或いは他方のバッファユニットにおいて蓄積された電荷量がバッテリー６６の充電に用いる電荷量として不足する（残量不足信号がバッファＦＵＬＬ制御部８２に出力される）場合の両方の条件が満足されたときに、バッテリー６６の充電に用いるバッファユニットと、振動センサ６０から出力される電圧信号に基づいて電荷の蓄積を行うバッファユニットとを切り替えているが、これに限定する必要はなく、バッファＦＵＬＬ信号、又は残量不足信号のいずれか一方がバッファＦＵＬＬ制御部８２に入力された場合に、バッテリー６６の充電に用いるバッファユニットと、振動センサ６０から出力される電圧信号に基づいて電荷の蓄積を行うバッファユニットとを切り替えることも可能である。
【００５６】
本実施形態では、充電装置６５におけるバッテリー６６の充電を行うタイミングとして、デジタルカメラ１０の主電源がオフとなる場合としているが、これに限定される必要はなく、デジタルカメラ１０の主電源がオンとなる場合であっても、バッテリー６６の充電を行わせることも可能である。この場合、図１に示すセレクタ６１を設けずに、振動センサ６０からの出力をＣＰＵ５０及び充電装置６５の双方に出力するようにすればよい。なお、図１に示すセレクタを設けている場合には、操作部５１による操作によって、バッテリー６６の充電を行うか否かを選択できるようにしてもよい。
【００５７】
また、この他に、レリーズボタン５２が半押し操作されたか否かによって、振動センサ６０の出力をバッテリー６６の充電用の出力として用いるか、振動検出用の出力として用いるかを切り替えてもよい。図示は省略するが、レリーズボタン５２には、半押し操作されたときにオンとなるスイッチ（半押しスイッチ）と、全押し操作されたときにオンとなるスイッチ（全押しスイッチ）とが設けられている。デジタルカメラ１０においては、半押しスイッチがオンとなると、ＡＥ処理、ＡＦ処理及びオートホワイトバランス処理などの処理が実行される。これら処理に併せて、振動センサを用いた振動検出を実行し、撮像光学系１５、或いは撮像素子１６の一方を光軸Ｌに直交する方向に移動させるブレ補正が実行される。そして、全押しスイッチがオンとなると、半押し操作時に決定された露出条件を用いた撮像処理が実行される。つまり、撮影に関する処理が実行される半押しスイッチがオンとなるまでは、振動センサ６０の出力をバッテリー６６の充電用の出力として用い、半押しスイッチがオンとなるときに、振動センサ６０からの出力を振動検出用の出力に切り替えればよい。この場合、撮像処理が終了したタイミングで振動センサ６５の出力を振動検出用の出力から、バッテリー６６の受電用の出力として切り替えればよい。
【００５８】
本実施形態では、１つの振動センサからの出力を、振動検出に用いる出力、又はバッテリー充電に用いる出力のいずれかに切り替えているが、これに限定される必要はない。例えば複数の振動センサを設け、これら振動センサの一部を手ブレ検出に用いる振動センサとし、残りの振動センサをバッテリーの充電用に用いる振動センサとして用いることも可能である。
【００５９】
本実施形態では、バッファ回路７２に設けられるバッファユニットを、第１バッファユニット９６及び第２バッファユニット９７の２つとしているが、これに限定される必要はなく、３以上のバッファユニットを設けてもよい。
【００６０】
図５は、第１バッファユニット９６及び第２バッファユニット９７の他に、第３バッファユニット１２１を設けた場合のバッファ回路１２２の構成を示す。なお、この図５におけるバッファ回路１２２の構成は一例であり、これに限定されるものではない。なお、第３バッファユニット１２１が設けられていることから、バッファ回路に対しては符号１２２を付して説明し、他の箇所に対しては、本実施形態と同様の構成には同一の符号を付して説明する。
【００６１】
第３バッファユニット１２１による電荷の蓄積は、第１バッファユニット９６又は第２バッファユニット９７のいずれかに蓄積される電荷量が最大容量に到達しているが、他方のバッファユニットによるバッテリー６６の充電が終了していない場合に実行される。この第３バッファユニット１２１の構成は、第１バッファユニット９６及び第２バッファユニット９７と同一の構成からなるが、第３バッファユニット１２１に用いられるコンデンサの容量が第１バッファユニット９６及び第２バッファユニット９７のそれよりも大きいものが用いられる。なお、符号１２５，１２６は、逆流防止用のダイオードである。
【００６２】
第３バッファユニット１２１における電荷の蓄積は、次のようにして行われる。以下、第１バッファユニット９６により電荷が蓄積される場合について説明する。例えば第１バッファユニット９６により蓄積された電荷量が最大容量に達すると、第１バッファユニット９６からバッファＦＵＬＬ制御部８２にバッファＦＵＬＬ信号が出力される。一方、第２バッファユニット９７から残量不足信号がバッファＦＵＬＬ制御部８２に出力されない限りは、第２バッファユニット９７はバッテリー６６の充電に用いられている。
【００６３】
つまり、バッファＦＵＬＬ制御部８２は、バッファＦＵＬＬ信号が入力されたときにバッファ残量不足信号が入力されているか否かを判定する。残量不足信号が入力されていないと判定された場合には、バッファＦＵＬＬ制御部８２はバッファ駆動信号をスイッチ１２７に出力する。このバッファ駆動信号を受けてスイッチ１２７がオンとなるので、振動センサ６０からの電圧信号が第３バッファユニット１２１に入力される。これにより、第３バッファユニット１２１において、電圧信号に基づく電荷の蓄積が開始される。なお、スイッチ９１と第１バッファユニット９６との間にスイッチを設け、第１バッファユニット９６の充電時には該スイッチをオン、スイッチ１２７をオフにし、第１バッファユニット９６の充電が終了する、つまり、第１バッファユニット９６に蓄積された電荷が最大容量となるときに、該スイッチをオフ、スイッチ１２７をオンにすることも可能である。
【００６４】
そして、この第３バッファユニット１２１において電荷の蓄積が実行されている過程で、残量不足信号が第２バッファユニット９７からバッファＦＵＬＬ制御部８２に出力されると、バッファＦＵＬＬ制御部８２は一旦バッファ駆動信号の出力を停止し、スイッチ１２７をオフにする。これにより、第３バッファユニット１２１における電荷の蓄積が中断される。
【００６５】
バッファＦＵＬＬ制御部８２は、バッファ駆動信号の出力を停止した後、バッファ切替信号をバッファ回路１２２に出力する。このバッファ切替信号の出力により、振動センサ６０からの電圧信号に基づいた電荷の蓄積を行うバッファユニットが、第１バッファユニット９６から第２バッファユニット９７に切り替わる。なお、第２バッファユニット９７により電荷の蓄積の場合も同様であるので、ここではその説明を省略するが、この場合も、第２バッファユニット９７がバッファＦＵＬＬ信号をバッファＦＵＬＬ制御部８２に向けて出力したときに、第１バッファユニット９６からの残量不足信号がバッファＦＵＬＬ制御部８２に出力されていない場合には、第３バッファユニット１２１における電荷の蓄積が開始される。このようにして、振動センサ６０から出力される電圧信号を有効利用することができる。
【００６６】
一方、第３バッファユニット１２１に蓄積された電荷量が最大容量に到達した場合には、第３バッファユニット１２１はバッファＦＵＬＬ信号を生成し、生成されたバッファＦＵＬＬ信号をバッファＦＵＬＬ制御部８２に出力する。バッファＦＵＬＬ制御部８２は、スイッチ１２８に充電開始信号を出力する。これにより、スイッチ１２８がオンとなり、第３バッファユニット１２１と昇圧回路７３とが接続される。これにより、第３バッファユニット１２１を用いたバッテリー６６の充電が実行される。なお、スイッチ１２８をオンにするタイミングとしては、例えば、第１バッファユニット９６又は第２バッファユニット９７のいずれかによるバッファユニットを用いたバッテリー６６の充電が行われていない期間が好ましい。つまり、これらバッファユニットのいずれかを用いてバッテリー６６を充電している場合にスイッチ１２８をオンにしてしまうと、充電期間中信号生成部８４による判定（バッファユニットから出力される電圧信号に基づく電圧値がバッテリー６６を充電できる電圧値であるか否かの判定）が正確に行えなくなるからである。つまり、第１バッファユニット９６とセレクタ９５との間、及び第２バッファユニット９７とセレクタ９５との間にスイッチを設け、スイッチ１２８をオンにしたときには、これらスイッチをオフにすることで、第１バッファユニット９６又は第２バッファユニット９７のいずれかから昇圧回路に電圧信号を出力しないようにしても良い。
【００６７】
なお、第３バッファユニット１２１を用いたバッテリー６６の充電の際にも、充電期間中信号生成部８４によって充電が行えるか否かの判定が行われる。そして、第３バッファユニット１２１を用いたバッテリー６６の充電ができなくなる場合に、充電期間中生成部８４から第３バッファユニット１２１に充電期間中信号の出力が停止される。これを受けて、第３バッファユニット１２１は、バッファ残量不足制御部８３に残量不足信号を出力する。この残量不足信号は、バッファＦＵＬＬ制御部８２に出力されるので、バッファＦＵＬＬ制御部８２は充電開始信号の出力を停止する。これにより、第３バッファユニット１２１を用いたバッテリーの充電が終了する。なお、この第３バッファユニット１２１を用いたバッテリーの充電の際には、スイッチ１２７はオフとなるように制御すればよい。
【００６８】
上述した第３バッファユニット１２１の構成は一実施例であり、例えば第１バッファユニット９６、及び第２バッファユニット９７のそれぞれに対して、補助バッファユニットを設け、第１バッファユニット又は第２バッファユニットに蓄積された電荷量が最大容量に到達した場合に、それぞれに対して設けられた補助バッファユニットに電荷を蓄積させることも可能である。
【００６９】
本実施形態では、デジタルカメラを例に説明したが、そのほかの電子機器、例えば携帯型電話機、オーディオプレーヤーなどにも適用することができる。
【符号の説明】
【００７０】
１０…デジタルカメラ、１５…撮像光学系、１６…撮像素子、２４…ブレ補正機構、５０…ＣＰＵ、６０…振動センサ、６１…セレクタ、６５…充電装置、６６…バッテリー、７１…制御コントローラ、７２…バッファユニット、７３…昇圧回路、７４…サブバッテリー、９６…第１バッファユニット、９７…第２バッファユニット
【先行技術文献】
【特許文献】
【００７１】
【特許文献１】特開２００７−２２１６５３号公報
【図１】
2010199780.tif 000003
【図２】
2010199780.tif 000004
【図３】
2010199780.tif 000005
【図４】
2010199780.tif 000006
【図５】
2010199780.tif 000007